(57)【要約】【課題】帯が動物の皮を使用し、ピン穴にピン留めピンが貫通する形状であって、ズボンの内側に入るシャツ・下着の変化、食事で生じる若干のウエストサイズの変化に対応できるベルトを提供する。【解決手段】バックル(２)はバックルボディー(４)と帯可動取付け板(５)とが組み合わされていて、バックルボディー(４)はバックルリング(６)と留めピン(７)と留めピンシャフト(８)で構成され、バックルボディー(４)の左右には前後に長い貫通するシャフト穴(９)が設けられていて、帯可動取付け板(５)に形成され左右のシャフト(１１)はシャフト穴(９)を貫通していて、帯可動取付け板(５)には帯通し穴(１３)とフック(１０)が形成されていて、帯通し穴(１３)に帯(１)が取付けられている。【選択図】  図５
2020175018.tif 000002
【特許請求の範囲】
【請求項１】
ズボンのベルト通しに通して用いる帯とバックルであって、バックルを二分割して一方に留めピンと留めピンシャフトが設けられ、他方にフックと帯軸が形成され、帯軸に帯が接続されていて、両者は相互に運動自在に接続されていて、留めピンシャフトと帯軸の距離を調整出来ることを特徴とする調整バックル。
【請求項２】
ズボンのベルト通しに通して用いる帯(１)とバックル(２)であって、帯(１)にはピン穴(３)が設けられ、バックル(２)はバックルボディー(４)と帯可動取付け板(５)とが組み合わされていて、バックルボディー(４)はバックルリング(６)と留めピン(７)と留めピンシャフト(８)で構成され、バックルボディー(４)の左右にはシャフト穴(９)が設けられ、帯可動取付け板(５)の左右のシャフト(１１)はシャフト穴(９)を貫通していて、シャフト(１１)の端にはボタン(１２)が設けられていて、帯可動取付け板(５)は左右のシャフト(１１)を軸として回転自在になっている、と共に、帯可動取付け板(５)には帯通し穴(１３)とフック(１０)が形成され、帯通し穴(１３)に帯(１)が取付けられていて、フック(１０)を留めピンシャフト(８)に容易に引っ掛ける、又、外す事ができて、ピン穴(３)間の距離を細分して、帯(１)とバックル(２)で出来る円周の距離を変える事が可能に成っていることを特徴とする調整バックル。
【請求項３】
ズボンのベルト通しに通して用いる帯(５１)とバックル(５２)であって、帯(５１)にはピン穴(５３)が設けられ、バックル(５２)はバックルボディー(５４)と可動調整リング(５５)とが組み合わされていて、バックルボディー(５４)はバックルリング(５６)と留めピン(５７)と留めピンシャフト(５８)と調整シャフト(５９)で構成され、留めピン(５７)は三方に向かう形状であって、バックルボディー(５４)の左右には前後に長いシャフト穴(６０)が設けられ、可動調整リング(５５)の左右にはシャフト(６１)が設けられ、左右のシャフト(６１)はシャフト穴(６０)を貫通していて、可動調整リング(５５)は葉動と共に前後動可能であって、可動調整リング(５５)に帯シャフト(６２)とフック(６３)が形成されていることにおいて、フック(６３)を留めピンシャフト(５８)と調整シャフト(５９)に係止出来て、ピン穴(５３)に留めピン(５７)を挿入した状態で帯(５１)とバックル(５２)で作った円周の距離を変えられることを特徴とする調整バックル。
【請求項４】
ズボンのベルト通しに通して用いる帯(１０１)とバックル(１０２)であって、帯(１０１)にはピン穴(１０３)が設けられ、バックル(１０２)はバックルボディー(１０４)と可動帯取付け具(１０５)とが組み合わされていて、バックルボディー(１０４)は、バックルリング(１０６)と留めピン(１０７)と留めピンシャフト(１０８)で構成され、下部にはラチェットギア(１０９)が形成され、バックルリング(１０６)の左右にシャフト穴(１１０)が設けられていて、可動帯取付け具(１０５)は、帯取付けシャフト(１１１)にラチェットフック(１１３)とリフトハンドル(１１２)とスプリング(１１４)が設けられ、帯取付けシャフト(１１１)の両端がシャフト穴(１１０)を貫通していて、可動帯取付け具(１０５)は前後動出来る、と共に、ラチェットギア(１０９)とラチェットフック(１１３)とスプリング(１１４)の取り合わせがラチェット機能に成っていて、ピン穴(１０３)に留めピン(１０７)が貫通した状態を保持して帯(１０１)とバックル(１０２)で成る円周の距離を変えられることを特徴とする調整バックル。
【発明の詳細な説明】
【技術分野】
【０００１】
ズボンのベルト通しに通して用いる帯とバックルに関する。
【背景技術】
【０００２】
従来  ズボンのベルト通しに通して用いるベルトは帯とバックルからなっていて、帯のピン穴にピン留めピンが貫通する形状であっては、帯が動物の皮の場合はピン穴間の間隔は耐久性の観点から限定されていた。
【０００３】
しかしながら従来、帯が動物の皮ベルト製品の需要が主流になっている。
【先行技術文献】
【特許文献】
【０００４】
【特許文献１】特開２０１１−１４２９５６号公報
【特許文献２】特開２０１０−２７０４１３号公報
【特許文献３】特開２００９−２６８６５３号公報
【発明の概要】
【発明が解決しようとする課題】
【０００５】
帯が動物の皮を使用し、ピン穴に留めピンが貫通する形状であって、ズボンの内側に入るシャツ・下着の変化、食事で生じる若干のウエストサイズの変化に対応できるベルトを提供する。
【０００６】
特許文献１、特許文献２、特許文献３、はピン穴に留めピンが貫通する形状では無い為に一般の需要が少ない問題点がある。
【課題を解決するための手段】
【０００７】
本発明は、以上のような従来の欠点に鑑み、帯が動物の皮ベルト製品の帯に手を加える事無くバックルの機能において、ピン穴間の距離を細分するバックルを提供することで問題点を解消した。
【０００８】
帯が動物の皮ベルト製品の帯に手を加える事無くバックルの機能において、ピン穴間の距離を細分するバックルは、帯のピン穴無い端をバックル本体に直接固定せずにバックルを二分割して留めピンの無い一方に帯を取り付ける
【０００９】
ズボンのベルト通しに通して用いる帯とバックルであって、バックルを二分割して一方に留めピンと留めピンシャフトが設けられ、他方にフックと帯軸が形成され帯軸に帯が接続されていて、両者は相互に運動自在に接続されていて、留めピンシャフトと帯軸の距離を調整出来る調整バックル。
【００１０】
考案１は、ズボンのベルト通しに通して用いる帯とバックルであって、帯にはピン穴が設けられ、バックルはバックルボディーと帯可動取付け板とが組み合わされていて、バックルボディーはバックルリングと留めピンと留めピンシャフトで構成され、バックルボディーの左右には前後に長い貫通するシャフト穴が設けられ、帯可動取付け板の左右のシャフトはシャフト穴を貫通して、シャフトの端にはボタンが設けられていて、帯可動取付け板は左右のシャフトを軸として回転自在になっている、と共に、帯可動取付け板には帯通し穴とフックが形成され、帯通し穴に帯が取付けられていて、フックを留めピンシャフトに容易に引っ掛ける、又、外す事ができて、ピン穴間の距離を細分して、帯とバックルで出来る円周の距離を変える事が可能に成っている調整バックル。
【００１１】
考案２は、ズボンのベルト通しに通して用いる帯とバックルであって、帯にはピン穴が設けられ、バックルはバックルボディーと可動調整リングとが組み合わされていて、バックルボディーはバックルリングと留めピンと留めピンシャフトと調整シャフトで構成され、留めピンは三方に向かう形状であって、バックルボディーの左右には前後に長いシャフト穴が設けられ、可動調整リングの左右にはシャフトが設けられ、左右のシャフトはシャフト穴を貫通していて、可動調整リングは葉動と共に前後動可能であって、可動調整リングに帯シャフトと中央部に下向くフックが形成されていることにおいて、フックを留めピンシャフトと調整シャフトに係止出来て、帯のピン穴に留めピンを挿入した状態で帯とバックルで作った円周の距離を変えられることを特徴とする調整バックル。
【００１２】
考案３は、ズボンのベルト通しに通して用いる帯とバックルであって、帯にはピン穴が設けられ、バックルはバックルボディーと可動帯取付け具とが組み合わされていて、バックルボディーは、バックルリングと留めピンと留めピンシャフトで構成され、下部にはラチェットギアが形成され、バックルリングの左右にシャフト穴が設けられていて、可動帯取付け具は、帯取付けシャフトにラチェットフックとリフトハンドルとスプリングが設けられ、帯取付けシャフトの両端がシャフト穴を貫通していて、可動帯取付け具は前後動出来る、と共に、ラチェットギアとラチェットフックとスプリングの取り合わせがラチェット機能に成っていて、ピン穴に留めピンが貫通した状態を保持して帯とバックルで成る円周の距離を変えられることを特徴とする調整バックル。
【００１３】
考案１は、ズボンのベルト通しに通して用いる帯とバックルであって、帯にはピン穴が設けられ、バックルはバックルボディーと帯可動取付け板とが組み合わされていて、バックルボディーはバックルリングと留めピンと留めピンシャフトで構成され、バックルボディーの左右には前後に長い貫通するシャフト穴が設けられている。
【００１４】
帯可動取付け板の左右にはシャフトが形成され、左右のシャフトはシャフト穴を貫通していて、左右のシャフトの端にはボタンが設けられていて、帯可動取付け板には帯通し穴とフックが形成されていて、帯通し穴に帯が取付けられている。
【００１５】
考案２は、ズボンのベルト通しに通して用いる帯とバックルであって、帯にはピン穴が設けられ、バックルはバックルボディーと可動調整リングとが組み合わされていて、バックルボディーはバックルリングと留めピンと留めピンシャフトと調整シャフトで構成され、バックルボディーの左右には前後に長い貫通するシャフト穴が設けられている。
【００１６】
可動調整リングの左右にはシャフトが設けられ、左右のシャフトはシャフト穴を貫通していて、可動調整リングには帯シャフトとフックが形成されていて、帯シャフトに帯が取付けられている。
【００１７】
考案３は、ズボンのベルト通しに通して用いる帯とバックルであって、帯にはピン穴が設けられ、バックルはバックルボディーと可動帯取付け具とが組み合わされている。
【００１８】
バックルボディーは、バックルリングと留めピンと留めピンシャフトで構成され、下部にはラチェットギアが形成されていて、バックルボディーの左右には横向きで前後に長い貫通するシャフト穴が設けられている。
【００１９】
可動帯取付け具は、帯取付けシャフトの両端がシャフト穴を貫通していて、帯取付けシャフトの端にリフトハンドルが設けられ、帯取付けシャフト中央にラチェットフックが形成され、ラチェットフックにスプリング取り付けられていて、帯取付けシャフトに帯の一端が接合されている。
【発明の効果】
【００２０】
以下図面に基づき説明する。
考案１、図１−図５、符合１−符号１３は、ズボンのベルト通しに通して用いる帯(１)とバックル(２)であって、バックル(２)はバックルボディー(４)と帯可動取付け板(５)とが組み合わされていて、バックルボディー(４)はバックルリング(６)と留めピン(７)と留めピンシャフト(８)で構成されている。
【００２１】
バックルボディー(４)の左右には前後に長い貫通するシャフト穴(９)が設けられていて、帯可動取付け板(５)の左右にはシャフト(１１)が形成され左右のシャフト(１１)はシャフト穴(９)を貫通していて、左右のシャフト(１１)の端にはボタン(１２)が設けられていることにおいて、帯可動取付け板(５)は左右のシャフト(１１)を軸として回転自在になっている。
【００２２】
帯可動取付け板(５)には帯通し穴(１３)が設けられ、フック(１０)が形成されていて、帯通し穴(１３)に帯(１)が取付けられていることにおいて、フック(１０)を留めピンシャフト(８)に容易に引っ掛ける、又、外す事ができて、ピン穴(３)間の距離を細分して、帯(１)とバックル(２)で出来る円周の距離を変える事が可能になっている。
【００２３】
考案２、図６−図９符合５１−符号６３は、ズボンのベルト通しに通して用いる帯(５１)とバックル(５２)であって、帯(５１)にはピン穴(５３)が設けられ、バックル(５２)はバックルボディー(５４)と可動調整リング(５５)とが組み合わされていて、バックルボディー(５４)はバックルリング(５６)と留めピン(５７)と留めピンシャフト(５８)と調整シャフト(５９)で構成され、留めピン(５７)は三方に向かう形状であって、一方はピン穴(５３)に挿入されるピンであり、他の二方は留めピンシャフト(５８)に回転自在に接合されていることにおいて、接合間の距離が生まれている。
【００２４】
バックルボディー(５４)の左右には前後に長い貫通するシャフト穴(６０)が設けられていて、可動調整リング(５５)の左右にはシャフト(６１)が設けられ、左右のシャフト(６１)はシャフト穴(６０)を貫通していていることにおいて、可動調整リング(５５)は葉動出来る、と共に、前後動出来る。
【００２５】
可動調整リング(５５)の中央部に下向くフック(６３)が形成されていることにおいて、フック(６３)を留めピンシャフト(５８)と調整シャフト(５９)に係止出来て、帯(５１)のピン穴(５３)に留めピン(５７)を挿入した状態で帯(５１)とバックル(５２)で作った円周の距離を変えられる。
【００２６】
考案３、図１０−図１４符合１０１−符号１１４は、ズボンのベルト通しに通して用いる帯(１０１)とバックル(１０２)であって、帯(１０１)にはピン穴(１０３)が設けられ、バックル(１０２)はバックルボディー(１０４)と可動帯取付け具(１０５)とが組み合わされている。
【００２７】
バックルボディー(１０４)の左右には横向きで前後に長い貫通するシャフト穴(１１０)が設けられていて、帯取付けシャフト(１１１)の両端がシャフト穴(１１０)を貫通していることにおいて、可動帯取付け具(１０５)は前後動出来る。
【００２８】
バックルボディー(１０４)は、バックルリング(１０６)と留めピン(１０７)と留めピンシャフト(１０８)で構成され、下部にはラチェットギア(１０９)が形成されていて、帯取付けシャフト(１１１)中央にラチェットフック(１１３)が形成され、帯取付けシャフト(１１１)の端にリフトハンドル(１１２)が設けられ、帯取付けシャフト(１１１)中央にラチェットフック(１１３)が形成され、ラチェットフック(１１３)にスプリング(１１４)取り付けられていることにおいて、ラチェットギア(１０９)とラチェットフック(１１３)とスプリング(１１４)の取り合わせがラチェット機能に成っている。
【００２９】
帯取付けシャフト(１１１)の両端がシャフト穴(１１０)を貫通して、帯取付けシャフト(１１１)の端にリフトハンドル(１１２)が設けられていることにおいて、リフトハンドル(１１２)を回してラチェット機能を解除できる。
【図面の簡単な説明】
【００３０】
【図１】帯(１)とバックル(２)の平面図。
【図２】切断線A−A線を示すバックル(２)の平面図。
【図３】バックル(２)の正面図。
【図４】バックル(２)の切断線A−A線の断面図。
【図５】バックル(２)の帯可動取付け板(５)を左右のシャフト(１１)を軸として回転させた正面図。
【図６】帯(５１)とバックル(５２)の平面図。
【図７】バックルボディー(５４)と可動調整リング(５５)の平面図。
【図８】バックル(５２)の正面図。
【図９】バックル(５２)の可動調整リング(５５)を左右のシャフト(６１)を軸として葉動させた正面図。
【図１０】帯(１０１)とバックル(１０２)の平面図。
【図１１】帯取付けシャフト(１１１)に帯(１０１)を接合したバックル(１２)の平面図。
【図１２】切断線B−B線を示すバックル(１０２)の平面図。
【図１３】バックル(１０２)の正面図。
【図１４】バックル(１０２)の切断線B−B線の断面図。
【図１５】バックルに帯留めフックが設けられたバックルと帯との平面図。
【図１６】バックルに帯留めフックが設けられたバックルの平面図。
【図１７】バックルに帯留めフックが設けられたバックルの正面図。
【図１８】バックルに帯留めフックが設けられたバックルの帯可動取付け板を左右のシャフトを軸として回転させた正面図。
【発明を実施するための形態】
【００３１】
図１−図５、符合１−符号１３は、ズボンのベルト通しに通して用いる帯(１)とバックル(２)であって、帯(１)にはピン穴(３)が設けられ、バックル(２)はバックルボディー(４)と帯可動取付け板(５)とが組み合わされていて、バックルボディー(４)はバックルリング(６)と留めピン(７)と留めピンシャフト(８)で構成され、バックルボディー(４)の左右には前後に長い貫通するシャフト穴(９)が設けられている。
【００３２】
帯可動取付け板(５)の左右にはシャフト(１１)が形成され左右のシャフト(１１)はシャフト穴(９)を貫通していて、左右のシャフト(１１)の端にはボタン(１２)が設けられていて、帯可動取付け板(５)には帯通し穴(１３)とフック(１０)が形成されていて、帯通し穴(１３)に帯(１)が取付けられている
【００３３】
図６−図９、符合５１−符号６３は、ズボンのベルト通しに通して用いる帯(５１)とバックル(５２)であって、帯(５１)にはピン穴(５３)が設けられ、バックル(５２)はバックルボディー(５４)と可動調整リング(５５)とが組み合わされていて、バックルボディー(５４)はバックルリング(５６)と留めピン(５７)と留めピンシャフト(５８)と調整シャフト(５９)で構成され、バックルボディー(５４)の左右には前後に長い貫通するシャフト穴(６０)が設けられている。
【００３４】
可動調整リング(５５)の左右にはシャフト(６１)が設けられ、左右のシャフト(６１)はシャフト穴(６０)を貫通していて、可動調整リング(５５)には帯シャフト(６２)とフック(６３)が形成されて、帯シャフト(６２)に帯(５１)が取付けられている。
【００３５】
図１０−図１４、符合１０１−符号１１４は、ズボンのベルト通しに通して用いる帯(１０１)とバックル(１０２)であって、帯(１０１)にはピン穴(１０３)が設けられ、バックル(１０２)はバックルボディー(１０４)と可動帯取付け具(１０５)とが組み合わされている。
【００３６】
バックルボディー(１０４)は、バックルリング(１０６)と留めピン(１０７)と留めピンシャフト(１０８)で構成され、下部にはラチェットギア(１０９)が形成され、バックルボディー(１０４)の左右には横向きで前後に長い貫通するシャフト穴(１１０)が設けられている。
【００３７】
可動帯取付け具(１０５)は、帯取付けシャフト(１１１)の両端がシャフト穴(１１０)を貫通していて、帯取付けシャフト(１１１)の端にリフトハンドル(１１２)が設けられ、帯取付けシャフト(１１１)中央にラチェットフック(１１３)が形成され、ラチェットフック(１１３)にスプリング(１１４)取り付けられていて、帯取付けシャフト(１１１)に帯(１０１)の一端が接合されている。
【００３８】
図１５−図１８は、バックルに帯留めフックが設けられたバックルであって、考案１と同様の機能になっている。
【産業上の利用可能性】
【００３９】
ベルトの形状で主流の帯が動物の皮を使用し、ピン穴(３)に留めピン(７)が貫通する形状であって、ズボンの内側に入るシャツ・下着の変化、食事で生じる若干のウエストサイズの変化に対応できて、帯(１)に手を加える事無くバックル(２)の機能において、ピン穴(３)間の距離を細分出来るバックル(２)を提供することで産業上の利用可能性が高いと思われます。
【符号の説明】
【００４０】
１  帯
２  バックル
３  ピン穴
４  バックルボディー
５  帯可動取付け板
６  バックルリング
７  留めピン
８  留めピンシャフト
９  シャフト穴
１０  フック
１１  シャフト
１２  ボタン
１３  帯通し穴
５１  帯
５２  バックル
５３  ピン穴
５４  バックルボディー
５５  可動調整リング
５６  バックルリング
５７  留めピン
５８  留めピンシャフト
５９  調整シャフト
６０  シャフト穴
６１  シャフト
６２  帯シャフト
６３  フック
１０１  帯
１０２  バックル
１０３  ピン穴
１０４  バックルボディー
１０５  可動帯取付け具
１０６  バックルリング
１０７  留めピン
１０８  留めピンシャフト
１０９  ラチェットギア
１１０  シャフト穴
１１１  帯取付けシャフト
１１２  リフトハンドル
１１３  ラチェットフック
１１４  スプリング
【図１】
2020175018.tif 000003
【図２】
2020175018.tif 000004
【図３】
2020175018.tif 000005
【図４】
2020175018.tif 000006
【図５】
2020175018.tif 000007
【図６】
2020175018.tif 000008
【図７】
2020175018.tif 000009
【図８】
2020175018.tif 000010
【図９】
2020175018.tif 000011
【図１０】
2020175018.tif 000012
【図１１】
2020175018.tif 000013
【図１２】
2020175018.tif 000014
【図１３】
2020175018.tif 000015
【図１４】
2020175018.tif 000016
【図１５】
2020175018.tif 000017
【図１６】
2020175018.tif 000018
【図１７】
2020175018.tif 000019
【図１８】
2020175018.tif 000020